(57)【要約】【課題】  擁壁用ブロックを使用した擁壁において、従来では、基本的に同種（奥行厚さの厚い）の基本ブロックのみで擁壁を構築していたので、さほどの高強度を必要としない擁壁構築場所では、過剰強度となって材料コスト面で無駄があった。【解決手段】  それぞれコンクリート成型品からなる奥行厚さの厚い基本ブロック１と奥行厚さの薄い板状ブロック２との２種類のブロックを有し、基本ブロック１及び板状ブロック２のそれぞれ左右各側面に、両ブロック１，２を左右に接合させたときに両ブロックが相互に前後に位置ずれ不能に係合する凹凸嵌合手段を形成していることにより、構築される擁壁の一部に厚さの薄い擁壁用ブロックを使用できるようにした。【選択図】      図１
2006022582.tif 000002
【特許請求の範囲】
【請求項１】
それぞれコンクリート成型品からなる奥行厚さの厚い基本ブロック（１）と奥行厚さの薄い板状ブロック（２）の２種類を有した擁壁用組ブロックであって、
前記基本ブロック（１）の左右各側面（１３，１４）と前記板状ブロック（２）の左右各側面（２３，２４）に、該基本ブロック（１）と該板状ブロック（２）とを左右に接合させたときに相互に凹凸嵌合して両ブロック（１，２）を相互に前後に位置ずれ不能に係合させ得る凹凸嵌合手段（１５，１６，２５，２６）を形成している、
ことを特徴とする擁壁用組ブロック。
【請求項２】
請求項１において、
基本ブロック（１）の左右各側面（１３，１４）の凹凸嵌合手段（１５，１６）を奥行方向に間隔をもって複数箇所ずつ形成している、
ことを特徴とする擁壁用組ブロック。
【請求項３】
コンクリート成型品からなる複数個の擁壁用ブロックを上下・左右に組付けて構築した擁壁構造であって、
前記擁壁用ブロックとして、奥行厚さの厚い基本ブロック（１）と奥行厚さの薄い板状ブロック（２）の２種類を有し、さらに前記基本ブロック（１）の左右各側面（１３，１４）と前記板状ブロック（２）の左右各側面（２３，２４）に、該基本ブロック（１）と該板状ブロック（２）とを左右に接合させたときに相互に凹凸嵌合して両ブロック（１，２）を相互に前後に位置ずれ不能に係合させ得る凹凸嵌合手段（１５，１６，２５，２６）をそれぞれ形成しているものを使用しているとともに、
左右２個の基本ブロック（１，１）間に１個の板状ブロック（２）を介在させ且つ該板状ブロック（２）の左右各凹凸嵌合手段（２５，２６）を左右各側の基本ブロック（１，１）の対向する凹凸嵌合手段（１５，１６）にそれぞれ嵌合させた状態で組付けている、
ことを特徴とする擁壁構造。
【請求項４】
請求項３において、
左右各側面（１３，１４）の凹凸嵌合手段（１５，１６）を奥行方向に間隔をもって複数箇所ずつ形成している基本ブロック（１）を使用し、
左右に異なる位置に組付けられる各板状ブロック（２，２）において、左右両基本ブロック（１，１）の対向する複数組の各凹凸嵌合手段（１５，１６）における奥行方向に異なる位置の１組の凹凸嵌合手段（１５，１６）にそれぞれ嵌合させて、左右に位置する各板状ブロック（２，２）を奥行方向の異なる位置に組付けている、
ことを特徴とする擁壁構造。
【発明の詳細な説明】
【技術分野】
【０００１】
本願発明は、道路側面や造成土地側面あるいは山肌等における土砂の崩壊を防止するのに使用される擁壁用ブロック及びその擁壁用ブロックを使用して構築した擁壁構造に関するものである。
【背景技術】
【０００２】
例えば山肌等に構築される擁壁をコンクリートで現場打ちする場合には、構築現場において型枠を組立てる必要があるので擁壁構築作業が繁雑となるとともに、工期が長くなるという問題がある。
【０００３】
他方、従来から、コンクリート成型品からなる複数個の擁壁用ブロックを上下・左右に組付けて構築した擁壁も多く見受けられる。図１７には、擁壁用ブロックとして間知ブロック３Ａを使用した一般的なもたれ式擁壁を示しているが、このもたれ式擁壁は、基礎コンクリート４上に複数個の間知ブロック３Ａ，３Ａ・・を上下・左右に組付け、各間知ブロック３Ａ，３Ａ・・を胴込めコンクリート５で固着し、その裏側に裏込めコンクリート層６を打設し、さらにその裏込めコンクリート層６の裏側に砕石を充填（砕石層７を形成）した後、該砕石層７の裏側に土壌８を埋戻して完成させている。尚、間知ブロックを使用したもたれ式擁壁として、例えば特許文献１（特開２０００−３５５９４９号公報）に示されるものがある。
【０００４】
図１７の擁壁に使用されている擁壁用ブロック（間知ブロック）３Ａは、前面が矩形（正方形又は長方形）で、後方にかなりの長さの塊状突出部を有している。尚、この種の間知ブロック３Ａは、前面が長方形のもので、例えば幅が４２cm、高さが２８cm奥行長さが３５cm程度の比較的小型のものが一般的である。
【０００５】
この種の小型の間知ブロック３Ａを使用した擁壁としては、例えば、図１８（Ａ）に示す布積み擁壁、図１８（Ｂ）に示す千鳥積み擁壁、図１８（Ｃ）に示す谷積み擁壁等があるが、これらの何れの擁壁も、全て同じ形状の間知ブロック３Ａを上下・左右に組付けて構成している。
【０００６】
又、大型の擁壁用ブロックとして、図１９（Ａ）に示す大面積の前面壁の後方に２枚の控え壁を突出させた形状の擁壁用ブロック３Ｂ、図２０（Ａ）に示すそれぞれ大面積の前面壁と後面壁とを２枚の連結壁で連結した形状の擁壁用ブロック３Ｃ、図２１（Ａ）に示す大面積の前面壁及び後面壁を有する四角筒形の擁壁用ブロック３Ｄ等がある。これらの大型の擁壁用ブロック３Ｂ，３Ｃ，３Ｄでは、前面壁の大きさが幅１００〜２００cm×高さ５０〜１００cm、奥行き長さが５０〜１００cm程度のものが多い。そして、図１９（Ａ）、図２０（Ａ）、図２１（Ａ）の各擁壁用ブロック３Ｂ，３Ｃ，３Ｄは、それぞれ図１９（Ｂ）、図２０（Ｂ）、図２１（Ｂ）に示すように、同じものを左右（上下も同じ）に組付けて擁壁を構築する。尚、図１９（Ｂ）、図２０（Ｂ）、図２１（Ｂ）に示す各擁壁の裏側には、コンクリート、砕石、土壌等が充填される。又、図２０（Ｂ）、図２１（Ｂ）の構築例では、各擁壁用ブロック３Ｃ，３Ｄ内の空間部にもコンクリート、砕石、土壌等が充填されることがある。
【０００７】
尚、上記図１７〜図２１の各擁壁において、擁壁の左右端部や上下端部には異形の擁壁用ブロックを使用することがあるが、これらの異形の擁壁用ブロックも奥行厚さの厚い基本ブロックの範囲である。
【０００８】
そして、上記した図１７〜図２１の各擁壁では、擁壁用ブロックとしてそれぞれ奥行厚さの厚い同じ形状のもの（異形のものも使用されることがあるが、基本ブロックの範囲のものである）を多数個使用して構築されているので、構築された擁壁は、全面に亘って奥行厚さが均等で厚いものとなる。尚、このように、擁壁の奥行厚さが全面に亘って厚いと、擁壁全体の強度が強くなる。
【０００９】
ところで、構築される擁壁が必要とする強度は、擁壁の用途・規模、構築場所の土質、構築場所に加わる土圧、等を加味して計算できるが、さほどの高強度を必要としない擁壁構築場所もある。
【００１０】
他方、基本ブロックとなる擁壁用ブロック（３Ａ〜３Ｄ）は、奥行厚さを比較的厚く成型するために、１個当たりの生コンクリート量が多くなり（材料コストが高くなる）、且つ１個当たりの重量及び外形体積が大きくなる（輸送コストが高くなる）。
【００１１】
【特許文献１】特開２０００−３５５９４９号公報
【発明の開示】
【発明が解決しようとする課題】
【００１２】
ところで、擁壁用ブロックを使用した従来の擁壁は、例えば図１７〜図２１に示すように、擁壁用ブロックの形状・種類は選択するものの、さほどの高強度を必要としない擁壁構築場所であっても、奥行厚さの厚い同じ形状の擁壁用ブロックのみ（一部は異形ブロックを使用することがあるが、基本ブロックの範囲である）で擁壁を構築している。このように、奥行厚さの厚い基本ブロックのみで擁壁を構築すると、強度面では必要以上の強度が確保できて安全であるが、過剰強度となる分、擁壁用ブロック自体がコスト高（コンクリート材料が多く必要になる）になるとともに、重量や体積が必要以上に大きくなって輸送コスト高になったり、作業性が悪くなったりするという問題がある。
【００１３】
尚、擁壁の中には、平面視において屈曲する形状に構築する場合があるが、例えば図２０（Ａ）に示す前面壁と後面壁を有する擁壁用ブロック３Ｃや、図２１（Ａ）に示す四角筒形の擁壁用ブロック３Ｄを使用する場合には、突出側屈曲部分に詰め物をする必要がある。即ち、図２２には、図２１（Ａ）に示す四角筒形の擁壁用ブロック３Ｄ，３Ｄ・・を使用して、屈曲形状の擁壁を構築する場合を示しているが、この場合は、擁壁の突出側屈曲部（符号Ｅ部分）にコーナー用ブロック３Ｅを介在させる必要がある。このコーナー用ブロック３Ｅは、屈曲角度（図２２の場合は突出側屈曲部Ｅの屈曲角度が１３５°）に応じた各種形状のもの（図２２の場合は角度４５°のクサビ形に成形している）を別途製作しておく必要があり、屈曲形状の擁壁を構築するための部品点数が多くなるという問題がある。
【００１４】
又、例えば図１７〜図２１に示す各種の擁壁用ブロックを使用した擁壁では、各擁壁用ブロックを奥行方向に凹凸のない状態で上下・左右に組付ける必要があるため、外面から見える意匠が平面状の画一なものになり、意匠感（デザイン性）の乏しいものであった。
【００１５】
本願発明は、上記した従来の各種擁壁の問題点に鑑み、部分的に奥行厚さの薄い擁壁用ブロックを使用することにより、擁壁構築コストを安価にできるようにすることを主目的とするとともに、構築される擁壁の意匠性（デザイン性）を良好にし得るようにすることを他の目的とした、擁壁用組ブロック及び擁壁構造を提供するものである。
【課題を解決するための手段】
【００１６】
本願発明は、上記課題を解決するための手段として次の構成を有している。
【００１７】
本願請求項１の発明
本願請求項１の発明は、擁壁を構築するための擁壁用ブロックであって、それぞれコンクリート成型品からなる奥行厚さの厚い基本ブロックと奥行厚さの薄い板状ブロックの２種類を有した擁壁用組ブロックを対象にしている。
【００１８】
そして、この請求項１の擁壁用組ブロックは、基本ブロックの左右各側面と板状ブロックの左右各側面に、該基本ブロックと該板状ブロックとを左右に接合させたときに相互に凹凸嵌合して両ブロックを相互に前後に位置ずれ不能に係合させ得る凹凸嵌合手段を形成している。
【００１９】
基本ブロックとしては、前面が矩形（正方形又は長方形）で奥行方向にかなりの厚さを有するものであれば、適宜の形状のものが採用できる。即ち、この請求項１で使用される基本ブロックとしては、例えば、従来例として記載した図１７〜図２１の各種形状のものをそれぞれ採用できる。尚、本願の基本ブロックは、一例として左右幅が１００〜２００cm、高さが５０〜１００cm、奥行厚さが５０〜１００cm程度の大型で四角筒形のものを使用できる。
【００２０】
板状ブロックとしては、基本ブロックの前面と同形・同大きさの矩形で奥行厚さの比較的薄いものが採用されている。尚、この板状ブロックは、例えば１０〜１５cm程度の厚さのものが使用できる。このように、板状ブロックでは、厚さが薄い分、コンクリート材料が少なくて済む。
【００２１】
この請求項１の擁壁用組ブロックは、左右２個の基本ブロックの間に１個の板状ブロックが介在するようにして組付けられるが、１個の板状ブロックの左右各側面とその左右に位置する２個の基本ブロックの各接合面との間には、両ブロック（基本ブロックと板状ブロック）の接合面同士が相互に凹凸嵌合し得るような凹凸嵌合手段が設けられている。この各側の凹凸嵌合手段としては、両ブロックの接合面における一方の接合面に縦凹溝（又は縦凸条）を形成し、他方の接合面に縦凸条（又は縦凹溝）を形成したものを採用できる。そして、両ブロック（基本ブロックと板状ブロック）を左右に接合させたときに、一方のブロックの縦凹溝（又は縦凸条）と他方のブロックの縦凸条（又は縦凹溝）とが凹凸嵌合して、両ブロックが相互に前後に位置ずれしない構造となっている。尚、各ブロックの凹凸嵌合手段は、各ブロックの一方の側面に縦凹溝を形成し他方の側面に縦凸条を形成したものでもよく、あるいは基本ブロックの左右各側面にそれぞれ縦凹溝（又は縦凸条）を形成し板状ブロックの左右各側面にそれぞれ縦凸条（又は縦凹溝）を形成したものでもよい。
【００２２】
又、基本ブロック側の凹凸嵌合手段と板状ブロック２側の凹凸嵌合手段の奥行方向の形成位置は、基本ブロックと板状ブロックを左右に接合させたときに、基本ブロックの前面と板状ブロックの前面とが奥行方向の段差のない同一面になるように位置決めすることができるが、板状ブロックの前面が基本ブロックの前面に対して若干奥側に後退した位置で両ブロックが凹凸嵌合するようにしてもよい。
【００２３】
この請求項１の擁壁用組ブロック（基本ブロックと板状ブロック）は、基本的に同種のブロック同士を上下に積み上げるとともに、異種のブロックを左右方向に連続させて擁壁を構築するものであるが、該基本ブロックと板状ブロックとは、左右に１個ずつ交互に配置させてもよく、あるいは複数（例えば２個）の基本ブロックを左右に接合させたものの左右各側面に１個ずつの板状ブロックを配置させる（この場合は、基本ブロックが複数個（例えば２個）に対して板状ブロックが１個の割合で使用される）ようにしてもよい。又、この擁壁用組ブロック（基本ブロックと板状ブロック）を使用すると、構築すべき擁壁を屈曲させる必要があるときでも、板状ブロックの側面と基本ブロックの側面とが接合する部分で角度をもたすことができる。
【００２４】
本願請求項２の発明
本願請求項２の発明では、上記請求項１の擁壁用組ブロックにおいて、基本ブロックの左右各側面の凹凸嵌合手段を奥行方向に間隔をもって複数箇所ずつ形成している。
【００２５】
このように基本ブロック側の凹凸嵌合手段を奥行方向に間隔をもって複数箇所ずつ形成したものでは、左右２個の基本ブロック間に介在させる板状ブロックを奥行方向に段差をもたせた位置に凹凸嵌合させることができる。
【００２６】
本願請求項３の発明
本願請求項３の発明は、コンクリート成型品からなる複数個の擁壁用ブロックを上下・左右に組付けて構築した擁壁構造を対象にしている。そして、この請求項３の擁壁構造は、擁壁用ブロックとして、上記請求項１の擁壁用組ブロックを使用して構築されたものである。
【００２７】
即ち、この請求項３では、擁壁用ブロックとして、奥行厚さの厚い基本ブロックと奥行厚さの薄い板状ブロックの２種類を有し、さらに基本ブロックの左右各側面と板状ブロックの左右各側面に、該基本ブロックと該板状ブロックとを左右に接合させたときに相互に凹凸嵌合して両ブロックを相互に前後に位置ずれ不能に係合させ得る凹凸嵌合手段をそれぞれ形成しているものを使用している。
【００２８】
そして、左右２個の基本ブロック間に１個の板状ブロックを介在させ且つ該板状ブロックの左右各凹凸嵌合手段を左右各側の基本ブロックの対向する凹凸嵌合手段にそれぞれ嵌合させた状態で組付けている。この請求項３の擁壁構造では、基本的に同種のブロック同士を上下に積み上げるとともに、異種のブロックを左右方向に連続させて擁壁を構築しているが、基本ブロックと板状ブロックとは、左右に１個ずつ交互に配置させてもよく、あるいは複数（例えば２個）の基本ブロックを左右に接合させたものの左右各側面に１個ずつの板状ブロックを配置させる（この場合は、基本ブロックが２個に対して板状ブロックが１個の割合で使用される）ようにしてもよい。尚、この擁壁の後面側には、砕石、土壌等が充填される。
【００２９】
この請求項３の擁壁構造では、板状ブロック部分の強度が基本ブロック部分の強度より若干弱くなるが、該板状ブロックの左右端部はそれぞれ高強度の基本ブロックで保持されているので、擁壁全体としてさほどの強度低下にならない。
【００３０】
本願請求項４の発明
本願請求項４の発明では、上記請求項３の擁壁構造において、上記請求項２の擁壁用組ブロックを使用して構築したものである。
【００３１】
即ち、この請求項４の擁壁構造では、基本ブロックとして、左右各側面の凹凸嵌合手段を奥行方向に間隔をもって複数箇所ずつ形成したものを使用し、左右に異なる位置に組付けられる各板状ブロックにおいて、左右両基本ブロックの対向する複数組の各凹凸嵌合手段における奥行方向に異なる位置の１組の凹凸嵌合手段にそれぞれ嵌合させて、左右に位置する各板状ブロックを奥行方向の異なる位置に組付けている。尚、上下に積み上げられる１列の板状ブロック群は、基本ブロックの前面に対して同一深さとなる。
【００３２】
このように、請求項４の擁壁構造では、板状ブロック列ごとに奥行方向に段差をもたせた状態で組付けることができるので、擁壁前面のデザイン（奥行方向の凹凸）を変化させることができる。
【発明の効果】
【００３３】
本願請求項１の発明の効果
本願請求項１の発明の擁壁用組ブロックは、奥行厚さの厚い基本ブロックと奥行厚さ厚さの薄い板状ブロックとを有して構成されているので、板状ブロック部分の厚さが薄い分、コンクリート材料が少なくて済み、材料コストを低減できるという効果がある。
【００３４】
又、基本ブロックと板状ブロックとは、左右に接合させた状態で相互に凹凸嵌合して両ブロックを相互に前後に位置ずれ不能に係合させ得るようにしているので、板状ブロックであっても左右の両基本ブロック間に位置保持させることができるという効果がある。
【００３５】
さらに、この擁壁用組ブロック（基本ブロックと板状ブロック）を使用すると、構築すべき擁壁を屈曲させる必要があるときでも、板状ブロックの側面と基本ブロックの側面とが接合する部分で角度をもたすことができ、特別なコーナー用ブロックを用意する必要がないという効果がある。
【００３６】
本願請求項２の発明の効果
本願請求項２の発明は、上記請求項１の擁壁用組ブロックにおいて、基本ブロックの左右各側面の凹凸嵌合手段を奥行方向に間隔をもって複数箇所ずつ形成しているので、各板状ブロックを左右２個の基本ブロック間における奥行方向に段差をもたせた位置に凹凸嵌合させることができる。
【００３７】
従って、この請求項２の擁壁用組ブロックでは、上記請求項１の効果に加えて、構築する擁壁の前面に部分的に凹凸形状を形成できるので、意匠的に（デザイン面で）良好な擁壁を構築することができるという効果がある。
【００３８】
本願請求項３の発明の効果
本願請求項３の発明の擁壁構造は、上記請求項１の擁壁用組ブロック（基本ブロックと板状ブロック）を使用して擁壁を構築したものであるが、この請求項３の擁壁構造では、板状ブロック部分の厚さが薄い分、コンクリート材料が少なくて済み、材料コストを低減できるとともに、板状ブロックであっても左右の両基本ブロック間に位置保持させることができ、さらに擁壁を屈曲させる必要があるときでも、板状ブロックの側面と基本ブロックの側面とが接合する部分で角度をもたすことができる（特別なコーナー用ブロックを用意する必要がない）、等の効果がある。
【００３９】
本願請求項４の発明の効果
本願請求項４の発明の擁壁構造では、上記請求項２の擁壁用組ブロック（基本ブロックと板状ブロック）を使用して擁壁を構築したものであるが、この請求項４の擁壁構造では、上記請求項３の効果に加えて、構築する擁壁の前面に部分的に凹凸形状を形成できるので、意匠的に（デザイン面で）良好な擁壁を提供できるという効果がある。
【実施例】
【００４０】
図１〜図１６を参照して本願のいくつかの実施例を説明すると、図１及び図２には第１実施例の擁壁用組ブロック１を示し、図３〜図９には第１実施例の擁壁用組ブロックの各種使用形態を示している。図１０には第２実施例の擁壁用組ブロックを示し、図１１及び図１２にはそれぞれ第２実施例の擁壁用組ブロックの各使用形態を示している。図１３には第３実施例の擁壁用組ブロックを示し、図１４には第３実施例の擁壁用組ブロックの使用形態を示している。図１５には第４実施例の擁壁用組ブロックを示し、図１６には第４実施例の擁壁用組ブロックの使用形態を示している。
【００４１】
図１の第１実施例の擁壁用組ブロックは、コンクリート成型品からなる奥行厚さの厚い基本ブロック１と、コンクリート成型品からなる奥行厚さの薄い板状ブロック２とで構成されている。
【００４２】
基本ブロック１は、この実施例では平面視矩形で内部を中空とした四角筒形のものを採用している。即ち、この基本ブロック１は、前面１１、背面１２及び左右の各側面１３，１４がそれぞれ鉛直面で、内部にかなり大きな空所１７を有している。又、この基本ブロック１は、適宜大きさのものが採用できるが、この第１実施例では左右幅が１００cm、高さが５０cm、奥行き幅が６５cmのものを採用している。尚、他の実施例では、基本ブロック１として、空所１７の無い中実のものも採用できる。
【００４３】
板状ブロック２は、基本ブロック１の前面１１と同形・同大きさの矩形で奥行厚さの比較的薄いものが採用されている。この板状ブロック２の奥行厚さは、例えば１０〜１５cm程度が適当である。
【００４４】
基本ブロック１の左右各側面１３，１４及び板状ブロック２の左右各側面２３，２４には、相手側のブロックの側面に接合したときに相互に凹凸嵌合させるための凹凸嵌合手段（１５，１６、２５，２６）が形成されている。この各凹凸嵌合手段は、各側面にそれぞれ縦向きに形成された縦凹溝１５，２５と縦凸条１６，２６が採用されている。即ち、この図１の第１実施例では、基本ブロック１側の凹凸嵌合手段として、該基本ブロックの左側面１３における前面寄り部分に形成した１本の縦凹溝１５と該基本ブロックの右側面１４における前面寄り部分に形成した１本の縦凸条１６とが採用されており、板状ブロック２側の凹凸嵌合手段として、該板状ブロックの左側面２３のほぼ中央部に形成した１本の縦凹溝２５と該板状ブロックの右側面１４のほぼ中央部に形成した１本の縦凸条２６とが採用されている。
【００４５】
そして、この第１実施例では、基本ブロック１と板状ブロックとは、図２に示すように両ブロック１，２の前面１１，２１を同一面状に揃えた状態で該両ブロック１，２を左右に接合させたときに、基本ブロック１側の接合面（左側面１３）の縦凹溝１５と板状ブロック２側の接合面（右側面２４）の縦凸条２６とが相互に凹凸嵌合して、両ブロック１，２が相互に前後に位置ずれ不能に係合するようになっている。
【００４６】
又、図２において、基本ブロック１の右側面１４には別の（鎖線図示する）板状ブロック２の左側面２３が接合され、板状ブロック２の側面２３には別の（鎖線図示する）基本ブロック１の右側面１４が接合されて、基本ブロック１と板状ブロック２とが左右に交互に配置される。そして、左右に接合された各ブロック１，２同士は、それぞれ縦凹溝（１５，２５）と縦凸条（１６，２６）との凹凸嵌合により、相互に前後に位置ずれ不能状態で連続するようになる。
【００４７】
図３〜図６には、図１の擁壁用組ブロック（基本ブロック１と板状ブロック２）の第１使用形態を示しているが、この第１使用形態では、基本ブロック１を複数個上下に積み上げた基本ブロック列１Ａと、板状ブロック２を複数個上下に積み上げた板状ブロック列２Ａとを、左右方向に交互に接合させて擁壁を構築している。尚、この擁壁は、基礎コンクリート４上に基本ブロック１と板状ブロック２とを１段ずつ左右に交互に接合させながら順次必要段数まで積み上げていく。この擁壁構築状態では、各基本ブロック列１Ａの前面と各板状ブロック列２Ａの前面とが同一面状に揃い、各板状ブロック２，２・・がそれぞれ左右２個の基本ブロック１，１間に介在された状態で該各板状ブロック２，２・・の左右各端部の凹凸嵌合手段（縦凹溝２５、縦凸条２６）がそれぞれ両側の基本ブロック１，１の各接合面にある凹凸嵌合手段（縦凸条１６、縦凹溝１５）に凹凸嵌合している。
【００４８】
この第１実施例の擁壁では、各基本ブロック列１Ａ，１Ａ・・内に各基本ブロック１の空所１７が連続する縦穴１７Ａが形成されているが、この各縦穴１７Ａ内には図４及び図５に示すように鉄筋コンクリート１８が充填されている。尚、この基本ブロック列１Ａ内の縦穴１７Ａ内には、コンクリートに代えて栗石や砕石あるいは土壌を充填してもよい。又、擁壁の後側には、砕石又は土壌が埋め戻される。尚、図３〜図６の擁壁構築例では、各擁壁用ブロック１，２を鉛直姿勢で積み上げているが、法面に沿って傾斜状態（もたれ掛け状態）で積み上げてもよい。
【００４９】
この図３〜図６の擁壁構造では、各板状ブロック列２Ａ部分は、図６に示すように厚さの薄い板状ブロック２が使用されているので、厚さが薄い分、擁壁用ブロックとしてのコンクリート材料が少なくて済む。反面、該板状ブロック列２Ａ部分は、厚さの薄い板状ブロック２が上下に積み上げられているので、単独では強度が弱いものとなる。他方、基本ブロック列１Ａ部分は、奥行厚さの厚い基本ブロック１を使用し、且つこの実施例では縦穴１７Ａ内に鉄筋コンクリート１８を充填しているので、高強度となっている。そして、板状ブロック列２Ａ部分は、左右の基本ブロック列１Ａ，１Ａ（高強度である）間において各板状ブロック２，２・・の左右各端部が基本ブロック１，１の側面に凹凸嵌合により係止されているので、擁壁全体として高強度を維持するようになる。特に、この実施例の擁壁構造は、大きな土圧支持力を必要としない擁壁構築現場に適したものであるが、図３〜図６の実施例のように使用される全個数の擁壁用ブロックの半分に板状ブロック２を使用したものでも強度的に満足できるとすると、擁壁全体に高強度の基本ブロックを使用する場合のような過剰強度を排除できて、擁壁構築コストを安価にできる。
【００５０】
図７には、図１の擁壁用組ブロックを使用して屈曲部（突出側屈曲部Ｅ、凹入側屈曲部Ｆ）を有する擁壁の構築例を示している。このように、屈曲部（特に突出側屈曲部Ｅ）を有する擁壁では、平面視四角形の基本ブロック１のみを使用する場合には、図２２に示すように両基本ブロック間にコーナー用ブロックを介在させる必要があるが、図１の擁壁用組ブロックを使用すると、板状ブロック２の奥行厚さが薄いので該板状ブロック２の後面側にスペースができ、突出側屈曲部Ｅにおいても基本ブロック１と板状ブロック２とを直接接合させることができる。尚、板状ブロック２は奥行厚さが薄いものの、突出側屈曲部Ｅ及び凹入側屈曲部Ｆにおいては、板状ブロック２側の凹凸嵌合手段（図示例では縦凹溝）が基本ブロック１側の凹凸嵌合手段（図示例では縦凸条）に対してうまく凹凸嵌合できないことがあるが、その場合には、板状ブロック２の屈曲部側の側面を斜めに削り加工することで両凹凸嵌合手段を正常に凹凸嵌合させることができる。尚、板状ブロック２の側面の削り加工は、比較的簡単に行える。
【００５１】
図８には、図１の擁壁用組ブロックを使用した他の擁壁構築例を示しているが、この図８の擁壁構築例では、基本ブロック１を左右に２個接合させ、その２個１組とする２つの基本ブロック群１Ｂ，１Ｂの間に１個の板状ブロック２を介在させている。尚、各基本ブロック１及び各板状ブロック２は、それぞれ同種のものが所定個数ずつ積み上げられて各ブロック列１Ａ，２Ａを構成している。
【００５２】
この図８の擁壁構築例では、安価に製作できる板状ブロック２の使用個数が少なくなって擁壁構築コスト（材料コスト）が、基本ブロック１と板状ブロック２とを同数ずつ使用するした図３〜図７の構築例に比して高価になるが、基本ブロック１の使用個数が多い分、強度が強くなる（高強度を必要とする擁壁構築現場に適している）。
【００５３】
図９には、図１の擁壁用組ブロックを使用したさらに他の擁壁構築例を示している。この図９の擁壁構築例では、基本ブロック列１Ａと板状ブロック列２Ａを交互に接合させた擁壁の後側に、適宜間隔を隔ててコンクリート成型品からなるコンクリート平板３０，３０・・を配置し、該各コンクリート平板３０．３０・・をそれぞれ基本ブロック１の背面にタイロット３１，３１・・で連結している。又、各コンクリート平板３０，３０・・からなるコンクリート平板壁３０Ａと各基本ブロック１及び各板状ブロック２からなる壁体との間には、砕石や土壌やコンクリート等の充填物３２が充填されている。尚、コンクリート平板壁３０Ａの後面側には埋め戻し土壌８が充填される。
【００５４】
この図９の擁壁構築例では、基本ブロック１と板状ブロック２からなる壁体前面とコンクリート平板壁３０Ａの後面までの厚さＤが土圧を受ける擁壁となり、極めて高強度の擁壁となる。
【００５５】
図１０に示す第２実施例の擁壁用組ブロックは、第１実施例（図１）の擁壁用組ブロックにおいて、基本ブロック１として板状ブロック２の組付け位置を選択し得るものを使用している。即ち、この第２実施例（図１０）の擁壁用組ブロックで使用される基本ブロック１には、左右各側面１３，１４の前端寄り位置と後端寄り位置の２箇所にそれぞれ凹凸嵌合手段（２つの縦凹溝１５，１５と２つの縦凸条１６，１６）を形成している。尚、板状ブロック２は、第１実施例（図１）のものと同じものが使用されている。
【００５６】
そして、この第２実施例の擁壁用組ブロックでは、例えば図１１又は図１２に示すように使用することができる。
【００５７】
図１１の擁壁構築例では、基本ブロック１（基本ブロック列１Ａ）と板状ブロック２（板状ブロック列２Ａ）とを左右に交互に接合させるのは図３の場合と同じであるが、板状ブロック２（板状ブロック列２Ａ）を左右の基本ブロック１，１（基本ブロック列１Ａ，１Ａ）に対して、前面寄り位置に保持させたり（図１１の中央部分の板状ブロック列２Ａ）、後面寄り位置に保持させたり（図１１の左右寄り部分の各板状ブロック列２Ａ，２Ａ）することができる。尚、板状ブロック２（板状ブロック列２Ａ）を基本ブロック１，１（基本ブロック列１Ａ，１Ａ）に対して前面寄り位置に保持させる場合には、板状ブロック２の左右各凹凸嵌合手段（縦凹溝２５、縦凸条２６）を左右各基本ブロック１，１におけるそれぞれ前面寄り位置の各凹凸嵌合手段（縦凸条１６、縦凹溝１５）に凹凸嵌合させ、逆に、板状ブロック２（板状ブロック列２Ａ）を基本ブロック１，１（基本ブロック列１Ａ，１Ａ）に対して後面寄り位置に保持させる場合には、板状ブロック２の左右各凹凸嵌合手段（縦凹溝２５、縦凸条２６）を左右各基本ブロック１，１におけるそれぞれ後面寄り位置の各凹凸嵌合手段（縦凸条１６、縦凹溝１５）に凹凸嵌合させる。この図１１の擁壁構築例のように、板状ブロック列２Ａ部分を基本ブロック列１Ａの前面寄り位置と後面寄り位置の２箇所に選択して組付け得るようにすると、擁壁前面の意匠に変化をもたせることができる。
【００５８】
図１２の擁壁構築例では、板状ブロック列２Ａ部分を基本ブロック列１Ａ，１Ａの後面寄り位置に組付けた部分において、その下部側に基本ブロック１を適宜少段数（１〜３段）設置し、その基本ブロック１内の空所に花壇用の土壌３３を入れている。この図１２の擁壁構築例では、擁壁の前面に花壇を設けることができる。
【００５９】
図１３に示す第３実施例の擁壁用組ブロックでは、図１０の第２実施例のものに板状ブロック２を１個追加している。即ち、この第３実施例では、１個の基本ブロック１と２個の板状ブロック２，２とで１組の擁壁用組ブロックを構成している。尚、基本ブロック１には、図１０のものと同様に、左右各側面１３，１４の前端寄り位置と後端寄り位置の２箇所にそれぞれ凹凸嵌合手段（２つの縦凹溝１５，１５と２つの縦凸条１６，１６）を形成している。
【００６０】
そして、この第３実施例（図１３）の擁壁用組ブロックは、図１４に示すような擁壁を構築することができる。即ち、左右２個の基本ブロック１，１（基本ブロック列１Ａ，１Ａ）の間に、２個の板状ブロック２，２（板状ブロック列２Ａ，２Ａ）を前後間隔をもたせてそれぞれ位置保持させるとともに、前後両板状ブロック２，２（前後両板状ブロック列２Ａ，２Ａ）の間に、砕石や土壌３４を充填している。この図１４の擁壁構築例では、板状ブロック２（板状ブロック列２Ａ）部分も、基本ブロック１（基本ブロック列１Ａ）と同じ奥行厚さを有しているので、擁壁全体が高強度になる。又、この図１４の擁壁構築例では、前後板状ブロック２，２部分は、基本ブロック１のコンクリート量のうちの左右各側面１３，１４部分のコンクリート量を削減できたことになり（土壌３４に置き換えている）、基本ブロック１に対して強度を低下させることなく高価なコンクリート材料を少なくできる。
【００６１】
図１５に示す第４実施例の擁壁用組ブロックは、第２実施例（図１０）の擁壁用組ブロックにおいて、基本ブロック１の左右各側面１３，１４にもう１箇所ずつ凹凸嵌合手段（縦凹溝１５，縦凸条１６）を形成している。即ち、この第３実施例（図１５）の擁壁用組ブロックで使用される基本ブロック１には、左右各側面１３，１４の前端寄り位置と後端寄り位置とその中間位置の３箇所にそれぞれ凹凸嵌合手段（３つの縦凹溝１５，１５，１５と３つの縦凸条１６，１６，１６）を形成している。尚、板状ブロック２は、第２実施例（図１０）のものと同じものが使用されている。
【００６２】
そして、この第４実施例の擁壁用組ブロックでは、例えば図１６に示すように、左右両基本ブロック列１Ａ，１Ａ間において板状ブロック列２Ａを、基本ブロック列１Ａの前面に揃えた位置（図１６の右側の板状ブロック列２Ａ）、奥行方向の中間位置（図１６の中央部の板状ブロック列２Ａ）、基本ブロック列１Ａの後面に揃えた位置（図１６の左側の板状ブロック列２Ａ）、の３つの位置に選択して組付けることができる。又、板状ブロック列２Ａを擁壁の奥側に組付けた箇所では、図１２に示すように下部側に花壇を設けることもできる。
【００６３】
従って、この第４実施例の擁壁用組ブロックでは、擁壁前面の意匠をより一層多岐に変化させ得る。
【図面の簡単な説明】
【００６４】
【図１】本願第１実施例の擁壁用組ブロックの斜視図である。
【図２】図１の擁壁用組ブロックの組付状態を示す平面図である。
【図３】図１擁壁用組ブロックを使用した第１の擁壁構築例の斜視図である。
【図４】図３のIV−IV断面図である。
【図５】図３のＶ−Ｖ断面図である。
【図６】図３のVI−VI断面図である。
【図７】図１の擁壁用組ブロック使用した第２の擁壁構築例の平面断面図である。
【図８】図１の擁壁用組ブロック使用した第３の擁壁構築例の平面断面図である。
【図９】図１の擁壁用組ブロック使用した第４の擁壁構築例の平面断面図である。
【図１０】本願第２実施例の擁壁用組ブロックの斜視図である。
【図１１】図１０の擁壁用組ブロックを使用した擁壁構築例の斜視図である。
【図１２】図１０の擁壁用組ブロックを使用した他の擁壁構築例の斜視図である。
【図１３】本願第３実施例の擁壁用組ブロックの斜視図である。
【図１４】図１３の擁壁用組ブロック使用した擁壁構築例の平面断面図である。
【図１５】本願第４実施例の擁壁用組ブロックの斜視図である。
【図１６】図１５の擁壁用組ブロックを使用した擁壁構築例の斜視図である。
【図１７】第１従来例の擁壁構造の概略図である。
【図１８】図１７の擁壁構造の各種積み形状の正面図である。
【図１９】第２従来例の擁壁用ブロックとその擁壁用ブロックを使用した擁壁構築例の説明図である。
【図２０】第３従来例の擁壁用ブロックとその擁壁用ブロックを使用した擁壁構築例の説明図である。
【図２１】第４従来例の擁壁用ブロックとその擁壁用ブロックを使用した擁壁構築例の説明図である。
【図２２】図２１の擁壁用ブロックの他の擁壁構築例の説明図である。
【符号の説明】
【００６５】
１は基本ブロック、１Ａは基本ブロック列、２は板状ブロック、２Ａは板状ブロック列、１３は左側面、１４は右側面、１５は凹凸嵌合手段（縦凹溝）、１６は凹凸嵌合手段（縦凸条）、２３は左側面、２４は右側面、２５は凹凸嵌合手段（縦凹溝）、２６は凹凸嵌合手段（縦凸条）である。
【図１】
2006022582.tif 000003
【図２】
2006022582.tif 000004
【図３】
2006022582.tif 000005
【図４】
2006022582.tif 000006
【図５】
2006022582.tif 000007
【図６】
2006022582.tif 000008
【図７】
2006022582.tif 000009
【図８】
2006022582.tif 000010
【図９】
2006022582.tif 000011
【図１０】
2006022582.tif 000012
【図１１】
2006022582.tif 000013
【図１２】
2006022582.tif 000014
【図１３】
2006022582.tif 000015
【図１４】
2006022582.tif 000016
【図１５】
2006022582.tif 000017
【図１６】
2006022582.tif 000018
【図１７】
2006022582.tif 000019
【図１８】
2006022582.tif 000020
【図１９】
2006022582.tif 000021
【図２０】
2006022582.tif 000022
【図２１】
2006022582.tif 000023
【図２２】
2006022582.tif 000024